(57)【要約】      （修正有）【課題】食品包装用袋において、各表記欄を見易く、目立つように印刷すると共に、特にアレルギー成分を含む材料についての情報を解り易く、目立つように表記する。【解決手段】食品を包装する袋１の内容表記欄７において、少なくとも名称欄８及び材料表記欄９及び材料表記欄９に表記された内容の説明欄１０の３欄を設けると共に、各欄を色分けして各欄の差別化を図り、併せて各欄を目立たせ、読み易く印刷する。また、全体を黒色で印刷することにより色盲の人に解り易く、点字を印刷することにより目の不自由な人にも解り易い印刷を袋１に行う。【選択図】図１
0003108826.tif 000002
【実用新案登録請求の範囲】
【請求項１】
食品を包装する袋の内容表記欄において、少なくとも名称表記欄及び材料表記欄及び内容表記欄に表記された内容の説明欄の３欄を設けると共に、各欄を色分けして各欄の差別化を図り、併せて各欄を目立たせて読み易く構成して成る食品包装用袋。
【請求項２】
請求項１に記載の食品包装用袋において、材料表記欄の原材料中にアレルギー成分を含んだ材料がある場合には、この該当する材料名を朱書又は他の文字より大きい文字を用いて注意を惹くように表記すると共に、内容の説明欄に、この朱書又は大きな文字で表記した材料がアレルギー成分を含んでいるとする注意書を表記して成ることを特徴とする食品包装用袋。
【請求項３】
請求項１又は２に記載の食品包装用袋において、タイトルが一目で解るように、色彩を施したタイトルラインで表記して成ることを特徴とする食品包装用袋。
【請求項４】
請求項１〜３の何れか１項に記載の食品包装用袋において、注意書欄、材料表記欄、栄養成分表記欄を別けて成ることを特徴とする食品包装用袋。
【請求項５】
請求項１〜４の何れか１項に記載の食品包装用袋において、包装された食品に関する情報を二次元又は３分の１サイズバーコードで表記して成ることを特徴とする食品包装用袋。
【請求項６】
請求項１〜５の何れか１項に記載の食品包装用袋において、一目で解る使用アレルギー食品の早見表を表記して成ることを特徴とする食品包装用袋。
【請求項７】
請求項１〜６の何れか１項に記載の食品包装用袋において、栄養成分表を円グラフで表記して成ることを特徴とする食品包装用袋。
【請求項８】
請求項１〜７の何れか１項に記載の食品包装用袋において、栄養素を表記して
成ることを特徴とする食品包装用袋。
【請求項９】
請求項１〜８の何れか１項に記載の食品包装用袋において、調理方法またはお召し上がり方法を表記したタイトルラインを設けると共に、このタイトルラインに着色を施して成ることを特徴とする食品包装用袋。
【請求項１０】
請求項１〜９の何れか１項に記載の食品包装用袋において、開封口内にチャックを挿入し、かつこのチャックの位置表示を表記して成ることを特徴とする食品包装用袋。
【請求項１１】
請求項１〜１０の何れか１項に記載の食品包装用袋において、食品の栄養成分表とカロリー消費量を表で表わし、かつ、この関連が解るように表記して成ることを特徴とする食品包装用袋。
【請求項１２】
タイトルとこの内容を縦列に、順に表記すると共に、それぞれのタイトル及び内容をこの横に、そして色分けした地色の中に表記して成ることを特徴とする食品包装用袋。
【請求項１３】
すべての表記を黒色で印刷して成ることを特徴とする食品包装用袋。
【請求項１４】
請求項１〜１３に記載の食品包装用袋には、菓子類の包装用袋が包含されることを特徴とする食品包装用袋。
【請求項１５】
食品又は飲料、菓子を包装する食品包装用袋又は容器において、すべての文字表記を点字で表記して成ることを特徴とする食品包装用袋又は容器。
【請求項１６】
請求項１５に記載の食品包装用袋又は容器において、点字に併せて通常の文字が併記されていることを特徴とする食品包装用袋又は容器。
【考案の詳細な説明】
【技術分野】
【０００１】
本考案は、加工食品を包装する袋に関するもので、内部の食品に関する情報を解り易く表記するばかりでなく、特にアレルギー成分表記については、その安全性の観点から注意を惹き易いように工夫し、更に、色盲の人にも食品に関する情報や名柄、注意書き等の表記がすべて読み取れるように工夫した食品包装用袋に関するものである。但し、本考案において、以下の説明では食品と称しているが、この食品には、加工食品に加えて、菓子類を含む。
【背景技術】
【０００２】
食品の包装用袋においては、ＪＡＳ法等の法律で規定されている表示義務に併せて、各種の項目が印刷されている例が殆どである。そして、このような印刷において、注意を惹きたい部分の表記においては、文字の大きさや色に工夫して注意を惹くようにしたり、読み易くしたりする工夫が施されている例が多い。
このような表記例において、必ず表記が義務づけられている項目に食品の内容表記があり、最近は、アレルギー成分の表記や遺伝子組換食品の表記等の安全・安心情報の表記も加えられるようになっている。
【０００３】
その他、食品については、特に健康上の情報として、栄養素とかカロリー等の表記も行われるようになっている。
また、食品や菓子の包装用袋において、目の不自由な人が自由に商品選択ができるように、点字が単独で、又は併記してあると便利であるが、このような袋又は容器は提案されていない。
これらの表記については、その印刷（デザイン）の過程で、解り易さや読み易さ、目につき易さ等について、視覚的な見地から色々と工夫されているが、未だ十分でない。
【考案の開示】
【考案が解決しようとする課題】
【０００４】
本考案は、斯る点に鑑みて提案されるものであって、解り易く、読み易く、目につき易いばかりでなく、食品に関する情報を適格、親切に表記することにより、消費者のニーズに合わせた表記を行った食品包装用袋又は容器（但し、以下「食品包装用袋」に統一して使用する。）を提供することを目的とする。
【課題を解決するための手段】
【０００５】
上記目的を達成するため、請求項１に記載の考案においては、食品包装用袋において、食品を包装する袋の内容表記欄において、少なくとも名称表記欄及び材料表記欄及び内容表記欄に表記された内容の説明欄の３欄を設けると共に、各欄を色分けして各欄の差別化を図り、併せて各欄を目立たせて読み易く構成して成ることを特徴とするものである。
【０００６】
更に、請求項２に記載の考案においては、請求項１に記載の食品包装用袋において、材料表記欄の原材料中にアレルギー成分を含んだ材料がある場合には、この該当する材料名を朱書又は他の文字より大きい文字を用いて注意を惹くように表記すると共に、内容の説明欄に、この朱書又は大きな文字で表記した材料がアレルギー成分を含んでいるとする注意書を表記して成ることを特徴とするものである。
【０００７】
更に、請求項３に記載の考案においては、請求項１又は２に記載の食品包装用袋において、タイトルが一目で解るように、色彩を施したタイトルラインで表記して成ることを特徴とするものである。
【０００８】
更に、請求項４に記載の考案においては、請求項１〜３の何れか１項に記載の食品包装用袋において、注意書欄、材料表記欄、栄養成分表記欄を別けて成ることを特徴とするものである。
【０００９】
更に、請求項５に記載の考案においては、請求項１〜４の何れか１項に記載の食品包装用袋において、包装された食品に関する情報を二次元又は３分の１サイズバーコードで表記して成ることを特徴とするものである。
【００１０】
更に、請求項６に記載の考案においては、請求項１〜５の何れか１項に記載の食品包装用袋において、一目で解る使用アレルギー食品の早見表を表記して成ることを特徴とするものである。
【００１１】
更に、請求項７に記載の考案においては、請求項１〜６の何れか１項に記載の食品包装用袋において、栄養成分表を円グラフで表記して成ることを特徴とするものである。
【００１２】
更に、請求項８に記載の考案においては、請求項１〜７の何れか１項に記載の食品包装用袋において、栄養素を表記して成ることを特徴とするものである。
【００１３】
更に、請求項９の記載の考案においては、請求項１〜８の何れか１項に記載の食品包装用袋において、調理方法またはお召し上がり方法を表記したタイトルラインを設けると共に、このタイトルラインに着色を施して成ることを特徴とするものである。
【００１４】
更に、請求項１０の記載の考案においては、請求項１〜９の何れか１項に記載の食品包装用袋において、開封口内にチャックを挿入し、かつこのチャックの位置表示を表記して成ることを特徴とするものである。
【００１５】
更に、請求項１１に記載の考案においては、請求項１〜１０の何れか１項に記載の食品包装用袋において、食品の栄養成分表とカロリー消費量を表で表わし、かつ、この関連が解るように表記して成ることを特徴とするものである。
【００１６】
更に、請求項１２に記載の考案においては、食品包装用袋において、タイトルとこの内容を縦列に、順に表記すると共に、それぞれのタイトル及び内容をこの横に、そして色分けした地色の中に表記して成ることを特徴とするものである。
【００１７】
更に、請求項１３に記載の考案においては、食品包装用袋において、すべての表記を黒色で印刷して成ることを特徴とするものである。
【００１８】
更に、請求項１４に記載の考案においては、請求項１〜１３に記載の食品包装用袋には、菓子類の包装用袋が包含されることを特徴とするものである。
【００１９】
更に、請求項１５の記載の考案においては、食品又は飲料、菓子を包装する食品包装用袋又は容器において、すべての文字表記を点字で表記して成ることを特徴とするものである。
【００２０】
更に、請求項１６の記載の考案においては、請求項１５に記載の食品包装用袋又は容器において、点字に併せて通常の文字が併記されていることを特徴とするものである。
【考案の効果】
【００２１】
本考案は以上のように、食品包装用袋において、その内容表記欄、タイトル、内容の説明欄等を色分けしたり、文字の大きさを変えたり、アレルギー成分についての表記や注意書きを目立つように表記したことにより、各欄の差別化を計ることができると共に、読み易くなる効果がある。
また、点字表記があるため、目の不自由な人にも商品選択を自由に行うことができて便利である。
【考案を実施するための最良の形態】
【００２２】
以下に、本考案の実施の形態を、図を基に詳細に説明する。
【実施例１】
【００２３】
図１は、ごぼうサラダのアスパラとハム和えの材料を包装した袋１の表面２であって、本実施例１の袋１は、業務用のため、表面にのみ印刷が施されているが、一般の消費者向けの袋の場合には、通常、表面に装飾用のデザインやブランドの表示があり、この裏面に、本実施例１の表面と同じ内容表示等の欄が印刷されることになる。
【００２４】
本実施例１の表面２には、左上に調理済商品の写真３が添えてあり、この下に商品のタイトル４が着色されたライン６のところに表記されている。
５は、着色されたライン６のところに表記された商品内容に関する表記であって、この下には、内容表記欄７が設けられている。そして、この内容表記欄７において、図中左側には、名称欄８が設けられていて、この名称欄８には、名称、原材料名、内容量、賞味期限、保存方法、販売者の欄が縦に、順に設けてあり、中間には、名称欄８に相当するそれぞれの内容を表記した材料表記欄９が縦に、順に設けてある。
【００２５】
更に、この材料表記欄９の右には、前記名称欄８に対応する部分に、何についての表記なのかを解り易く説明した解説欄１０が、表記欄９に対応して、設けてある。
そして、上記した名称欄８及び材料表記欄９、解説欄１０は、色分けがしてあり、それぞれの欄が一目で解るように工夫されている。因みに、本実施例では、名称欄８は黄色、材料表記欄９は白色（地色）、解説欄１０は緑色で色分けされている。
更に、本実施例１においては、材料表記欄９のところで、アレルギー成分を含む、例えば、小麦・りんごが含んでいる場合には、この原材料名を赤字で注意を惹くように表記してある。
【００２６】
１１は、保存方法に関する表記、１２は、この表記１１に基づく保存方法とか日持ち等を表記した保存方法表記欄であって、この欄１２も、目立つように本実施例１では赤地に白抜きの文字で表記している。
１３は、リサイクルに関する表記、１４は、この表記１３に基づくリサイクルに関する情報表記欄であって、この欄１４には、袋の材質をＰＥ（ポリエチレン）、ＰＡ（ポリアミド）、リサイクルマーク、塩素系の樹脂は使用していません、等のリサイクルに関する情報を一括して表記している。
このように、袋１のタイトルや名称欄８、材料表記欄９、解説欄１０を色分けして各欄を設けることにより、各欄が良く解り、目を引き、更に、読み易くなる。
また、アレルギー成分を目立つように表記することにより、アレルギー体質の人にはアレルギー成分を含む食品材料を見落とすことがなくなり、商品に関して安全・安心の向上を計ることができる。
【実施例２】
【００２７】
本実施例２は、図２に示すように、内容表記欄７等以外に、注意書欄１５を目立つように、赤地枠１６内に白抜きで表記し、更に、タイトルライン１７、１８、１９を縦に、順に設けて色分けを行い、且つ栄養成分欄２０を設けた構成である。
なお、本実施例２の印刷面は、袋１において裏面２ａである。
【実施例３】
【００２８】
本実施例３は、図３に示すように、袋１が横方向に長い形状のものに対し、横方向に各欄やタイトルを表記した実施例であって、この実施例３においても、タイトルラインは縦に設けて色分けを行い、特に注意事項欄２１については、赤地枠２２内に白抜きで表記している。
【実施例４】
【００２９】
本実施例４は、図４に示すように、タイトルライン６や各欄を実施例１と同様に目立つように色分けしたりして印刷した例である。
【実施例５】
【００３０】
本実施例５は、図５に示すように、一目で解るアレルギー食品早見表のタイトルで、各商品表示を行った早見表２４を設け、更に、二次元バーコード２５で各種情報を取り込むことができるよう印刷した例である。
なお、バーコード２５には、３分の１サイズバーコードも含む。
【実施例６】
【００３１】
本実施例６は、図６（Ａ）（Ｂ）に示すように、アレルギー早見表２３を加え、各名称欄を色分けして目立ち、解り易くした例（Ａ）と、アレルギー成分を含む食品がある場合、実施例では「小麦」と「りんご」を色分けした楕円の地の中に目立つように表記２６し、更に、栄養成分表を円グラフ２７で表わした例（Ｂ）である。
【実施例７】
【００３２】
本実施例７は、図７に示すように、内容表記欄７を縦に、原材料名ごとに表記し、栄養成分を円グラフ２８で表わし、更に、リサイクルに関する表記欄１４を統一的に枠内に収めたレイアウトにして印刷した例である。
【実施例８】
【００３３】
本実施例８は、図８に示すように、各欄を独立した枠２９、２９ａ、２９ｂ、２９ｃ内に印刷することにより、見易く、目立つように印刷した例である。
【実施例９】
【００３４】
本実施例９は、図９に示すように、栄養成分欄を充実させた例であって、栄養成分と１時間当りの栄養所要量を円グラフ２８で比較し、食生活の目安になるようにまとめて印刷した例である。
【実施例１０】
【００３５】
本実施例１０は、図１０に示すように、商品に多く含まれる栄養素の表示３０を大きく目立たせ、補給したい栄養素の確認をしやすくなし、更に、カロリーの消費量が解るカロリー消費表記欄３１を印刷した例である。
【実施例１１】
【００３６】
本実施例１１は、図１１に示すように、タイトルライン６を横に独立させ、各タイトルラインの間にそれぞれの内容を表記した例である。
【実施例１２】
【００３７】
本実施例１２は、図１２に示すように、すべての情報が一目で解るように、縦に一括表記した例であって、この例においても、アレルギー表示を目立つように表示した例である。
【実施例１３】
【００３８】
食品包装用袋において、すべての表記を黒色で印刷することにより、色盲の人でもすべての表記を読み取り、理解できるようにする。
【実施例１４】
【００３９】
食品包装用袋において、文字表記を点字で、又は点字を併記した構成で表記することにより、目の不自由な人にも楽に商品選択ができて便利である。
【実施例１５】
【００４０】
本実施例１５は、食品包装用袋１の場合、開口部内にチャックが挿入されている場合が多い。このときのチャック３２の位置と、開封が解り易いように、図１３に示すようにチャック３２の位置と開封位置が解るような表記３３を印刷しておく。
【実施例１６】
【００４１】
本実施例１６は、図１４に示すように、食品包装用袋１において、調理の仕上、召し上がり方の欄のタイトルライン６を着色して設けた例である。但し、本実施例１６は、請求項３に対応するものである。
【図面の簡単な説明】
【００４２】
【図１】実施例１の説明図
【図２】実施例２の説明図
【図３】実施例３の説明図
【図４】実施例４の説明図
【図５】実施例５の説明図
【図６】実施例６の説明図
【図７】実施例７の説明図
【図８】実施例８の説明図
【図９】実施例９の説明図
【図１０】実施例１０の説明図
【図１１】実施例１１の説明図
【図１２】実施例１２の説明図
【図１３】実施例１５の説明図
【図１４】実施例１６の説明図
【符号の説明】
【００４３】
１  袋
６  タイトルライン
７  内容表記欄
８  名称欄
９  材料表記欄
１０  解説欄
１４  リサイクル情報表記欄
【図１】
0003108826.tif 000003
【図２】
0003108826.tif 000004
【図３】
0003108826.tif 000005
【図４】
0003108826.tif 000006
【図５】
0003108826.tif 000007
【図６】
0003108826.tif 000008
【図７】
0003108826.tif 000009
【図８】
0003108826.tif 000010
【図９】
0003108826.tif 000011
【図１０】
0003108826.tif 000012
【図１１】
0003108826.tif 000013
【図１２】
0003108826.tif 000014
【図１３】
0003108826.tif 000015
【図１４】
0003108826.tif 000016
【手続補正書】
【提出日】平成16年12月16日(2004.12.16)
【手続補正１】
【補正対象書類名】実用新案登録請求の範囲
【補正対象項目名】全文
【補正方法】変更
【補正の内容】
【実用新案登録請求の範囲】
【請求項１】
食品を包装する袋の内容表記欄において、少なくとも名称表記欄及び材料表記欄及び内  容表記欄に表記された内容の説明欄の３欄を設けると共に、各欄を色分けして各欄の差  別化を図り、併せて各欄を目立たせて読み易く構成して成る食品包装用袋。
【請求項２】
請求項１に記載の食品包装用袋において、材料表記欄の原材料中にアレルギー成分を含  んだ材料がある場合には、この該当する材料名を朱書又は他の文字より大きい文字を用  いて注意を惹くように表記すると共に、内容の説明欄に、この朱書又は大きな文字で表  記した材料がアレルギー成分を含んでいるとする注意書を表記して成ることを特徴とす  る食品包装用袋。
【請求項３】
請求項１又は２に記載の食品包装用袋において、タイトルが一目で解るように、色彩を  施したタイトルラインで表記して成ることを特徴とする食品包装用袋。
【請求項４】
請求項１〜３の何れか１項に記載の食品包装用袋において、注意書欄、材料表記欄、栄  養成分表記欄を別けて成ることを特徴とする食品包装用袋。
【請求項５】
請求項１〜４の何れか１項に記載の食品包装用袋において、包装された食品に関する情  報を二次元又は３分の１サイズバーコードで表記して成ることを特徴とする食品包装用  袋。
【請求項６】
請求項１〜５の何れか１項に記載の食品包装用袋において、一目で解る使用アレルギー  食品の早見表を表記して成ることを特徴とする食品包装用袋。
【請求項７】
請求項１〜６の何れか１項に記載の食品包装用袋において、栄養成分表を円グラフで表  記して成ることを特徴とする食品包装用袋。
【請求項８】
請求項１〜７の何れか１項に記載の食品包装用袋において、栄養素を表記して成ること         を特徴とする食品包装用袋。
【請求項９】
請求項１〜８の何れか１項に記載の食品包装用袋において、調理方法またはお召し上が  り方法を表記したタイトルラインを設けると共に、このタイトルラインに着色を施して  成ることを特徴とする食品包装用袋。
【請求項１０】
請求項１〜９の何れか１項に記載の食品包装用袋において、開封口内にチャックを挿入  し、かつこのチャックの位置表示を表記して成ることを特徴とする食品包装用袋。
【請求項１１】
請求項１〜１０の何れか１項に記載の食品包装用袋において、食品の栄養成分表とカロ  リー消費量を表で表わし、かつ、この関連が解るように表記して成ることを特徴とする  食品包装用袋。
【請求項１２】
タイトルとこの内容を縦列に、順に表記すると共に、それぞれのタイトル及び内容をこ  の横に、そして色分けした地色の中に表記して成ることを特徴とする食品包装用袋。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００４１
【補正方法】変更
【補正の内容】
【００４１】
本実施例１６は、図１４に示すように、食品包装用袋１において、調理の仕上、召し上がり方の欄のタイトルライン６を着色して設けた例である。